(57)【要約】【課題】外壁から突出する屋根の長さが短い建築物でも形成することができ、且つ軒先の屋根材の下方に雨樋等の部材を取り付けるための十分な空間を確保することができ、更に軒先の外観に影響を与えにくい軒先換気構造を提供する。【解決手段】外壁材１、屋根下地材３、屋根材４、及び換気部材５を備える軒先換気構造であって、屋根材４は屋根下地材３の軒側端部よりも軒側に突出した突出部４１を備える。屋根下地材３の軒側端部より軒側、突出部４１の下方、且つ外壁材１の上方である位置に換気部材５が設けられている。換気部材５は、軒方向に向いて開口する屋外通気口５１、屋内と通じる開口である屋内通気口５２、及び屋外通気口５１から屋内通気口５２へと通じる通気路５３を備える。【選択図】図１
2015193985.tif 000002
【特許請求の範囲】
【請求項１】
外壁材、屋根下地材、屋根材、及び換気部材を備える軒先換気構造であって、
前記屋根材が、前記屋根下地材よりも軒側に突出した突出部を備え、
前記屋根下地材の軒側端部より軒側、前記突出部の下方、且つ前記外壁材の上方である位置に前記換気部材が設けられ、
前記換気部材が、屋外と通じる開口である屋外通気口、屋内と通じる開口である屋内通気口、及び前記屋外通気口から前記屋内通気口へと通じる通気路を備えることを特徴とする軒先換気構造。
【請求項２】
前記換気部材が、前記外壁材の上端に固定されていることを特徴とする請求項１に記載の軒先換気構造。
【請求項３】
前記屋根下地材を、その下方から支持する支持部と、前記支持部から下方に突出した柱部と、を含む構造体を更に備え、
前記柱部と外壁材との間に間隔を有することを特徴とする請求項１又は２に記載の軒先換気構造。
【請求項４】
前記屋根下地材を支持する垂木を更に備え、
前記屋根下地材の軒側端部が、前記垂木の軒側端部より棟側に位置し、
前記換気部材が、前記垂木上に固定されていることを特徴とする請求項１に記載の軒先換気構造。
【請求項５】
介在部と、水切り部とを備える水切り部材を更に備え、
前記介在部は前記屋根材の下方に位置し、その棟側端部は前記屋根下地材と前記屋根材との間に介在し、その軒側端部は屋外に位置し、
前記水切り部は、前記介在部の軒側端部から下方に突出し、前記屋外通気口と対向していることを特徴とする請求項１乃至４のいずれか一項に記載の軒先換気構造。
【発明の詳細な説明】
【技術分野】
【０００１】
本発明は、屋根の軒先部分に設置される換気部材によって、屋外と屋内との換気を行う換気構造に関するものである。
【背景技術】
【０００２】
従来、屋根の軒先部分において、屋外と屋内との換気を行うにあたり、各種の構造が採用されている。
【０００３】
例えば、特許文献１には、吸気用開口部と通気用開口部とを備える換気装置を、屋根材の下方且つ外壁面の前方に設けることにより、前記吸気用開口部から前記換気装置の内部に取り込んだ外気を、前記通気用開口部から屋根裏空間へと導入することが開示されている。
【先行技術文献】
【特許文献】
【０００４】
【特許文献１】特開２０１３−６０７４６号公報
【発明の概要】
【発明が解決しようとする課題】
【０００５】
しかし、特許文献１の構造の場合、換気装置を屋根材の下方且つ外壁面の前方に設けているため、外壁から突出する屋根の長さが短い建築物には換気装置を設置することが難しいという問題があった。更に、軒先の屋根材の下方に雨樋等の部材を取り付けるための十分な空間を確保することが難しいという問題があった。更に、換気装置自体が軒先部分の外観に影響を与えてしまうという問題もあった。
【０００６】
本発明は上記の点に鑑みてなされたものであり、外壁から突出する屋根の長さが短い建築物でも形成することができ、且つ軒先の屋根材の下方に雨樋等の部材を取り付けるための十分な空間を確保することができ、更に軒先の外観に影響を与えにくい軒先換気構造を提供することを目的とする。
【課題を解決するための手段】
【０００７】
第一の態様に係る軒先換気構造は、外壁材、屋根下地材、屋根材、及び換気部材を備える軒先換気構造であって、
前記屋根材が、前記屋根下地材よりも軒側に突出した突出部を備え、
前記屋根下地材の軒側端部より軒側、前記突出部の下方、且つ前記壁材の上方である位置に前記換気部材が設けられ、
前記換気部材が、屋外と通じる屋外通気口、屋内と通じる開口である屋内通気口、及び前記屋外通気口から前記屋内通気口へと通じる通気路を備えることを特徴とする。
【０００８】
第二の態様に係る軒先換気構造は、第一の態様において、前記換気部材が、前記外壁材の上端に固定されていることを特徴とする。
【０００９】
第三の態様に係る軒先換気構造は、第一又は二の態様において、前記屋根下地材を支持する支持部と、前記支持部の軒側端部から下方に突出した柱部と、を含む構造体を更に備え、
前記柱部と外壁材との間に間隔を有することを特徴とする。
【００１０】
第四の態様に係る軒先換気構造は、第一の態様において、前記屋根下地材を支持する垂木を更に備え、
前記屋根下地材の軒側端部が、前記垂木の軒側端部より棟側に位置し、
前記換気部材が、前記垂木上に固定されていることを特徴とする。
【００１１】
第五の態様に係る軒先換気構造は、第一乃至四のいずれか一つの態様において、介在部と、水切り部とを備える水切り部材を更に備え、
前記介在部は前記屋根材の下方に位置し、その棟側端部は前記屋根下地材と前記屋根材との間に介在し、その軒側端部は屋外に位置し、
前記水切り部材は、前記介在部の軒側端部から下方に突出し、前記屋外通気口と対向していることを特徴とする。
【発明の効果】
【００１２】
本発明では、屋根下地材の軒側端部の軒側、突出部の下方、且つ壁材の上方である位置に換気部材が設けられるため、外壁から突出する屋根の長さが短い建築物においても換気構造を形成することができ、且つ軒先の屋根材の下方に十分な空間を確保することができ、更に軒先の外観に影響を与えにくい。
【図面の簡単な説明】
【００１３】
【図１】本発明の第一の実施形態である軒先換気構造の要部の概略の断面図である。
【図２】本発明の第一の実施形態である軒先換気構造の要部の概略の破断斜視図である。
【図３】本発明の第一の実施形態である軒先換気構造における、換気部材の断面図である。
【図４】図３に示す換気部材の分解断面図である。
【図５】本発明の第一の実施形態である軒先換気構造における接続部材の分解斜視図である。
【図６】図５に示す接続部材の斜視図である。
【図７】本発明の第二の実施形態である軒先換気構造の要部の概略の断面図である。
【図８】本発明の第二の実施形態である軒先換気構造の要部の概略の破断斜視図である。
【発明を実施するための形態】
【００１４】
以下、本発明を実施するための形態を説明する。
【００１５】
第一の実施形態に係る軒先換気構造は、外壁材１、屋根下地材３、屋根材４、及び換気部材５を備える。屋根材４は屋根下地材３の軒側端部よりも軒側に突出した突出部４１を備える。屋根下地材３の軒側端部より軒側、突出部４１の下方、且つ外壁材１の上方である位置に換気部材５が設けられている。換気部材５は、軒方向に向いて開口する屋外通気口５１、屋内と通じる開口である屋内通気口５２、及び屋外通気口５１から屋内通気口５２へと通じる通気路５３を備える。
【００１６】
本実施形態に係る軒先換気構造では、屋根下地材３の軒側端部より軒側、突出部４１の下方、且つ外壁材１の上方である位置に換気部材５が設けられるため、屋根の外壁から突出する部分の屋根の長さが短い建築物にも換気部材５を設置することができる。且つ、軒先に雨樋等を設置するための空間を確保することができる。更に、換気部材５を収まりよく設置することができ、換気部材５が軒先の外観に影響を与えにくい。更に、換気部材５が屋外通気口５１、通気路５３、及び屋内通気口５２を通して、屋内と通じているため、屋外と屋内との換気を行うことができる。
【００１７】
本実施形態に係る屋根構造は、換気部材５が、外壁材１の上端に固定されていてもよい。
【００１８】
本実施形態に係る屋根構造は、屋根下地材３を、その下方から支持する支持部２１と、支持部２１の下方に突出した柱部２２と、を含む構造体２を更に備え、柱部２２と外壁材１との間に間隔を有していてもよい。
【００１９】
本実施形態に係る屋根構造は、介在部５９１と、水切り部５９０とを備える水切り部材５９を更に備え、介在部５９１は屋根材４の下方に位置し、その棟側端部は屋根下地材３と屋根材４との間に介在し、その軒側端部は屋外に位置し、水切り部材５９は、介在部５９１の軒側端部から下方に突出し、屋外通気口５１と対向していてもよい。
【００２０】
尚、本明細書において、軒側とは、屋根の傾斜に沿った斜め下側のことであり、棟側とは、屋根の傾斜に沿った斜め上側のことであり、軒棟方向とは、屋根の傾斜に沿った方向である。
【００２１】
以下、第一の実施形態に係る軒先換気構造について、詳しく説明する。
【００２２】
図１に示すように、構造体２は、支持部２１と、支持部２１の下方に伸びた柱部２２から構成される。支持部２１は、屋根の傾斜に沿って傾斜している。柱部２２は、支持部２１の軒側端部から下方に突出している。構造体２は、例えばＨ型鋼から形成される。構造体２は、屋根の軒棟方向と直交する方向に並んで複数設けられている。
【００２３】
桁材３３は、構造体２の上に設けられている。桁材３３は、支持部２１上と柱部２２の屋外側の面とに重なっている。桁材３３は柱部２２にボルト及びナットにより固定されている。桁材３３は屋根の軒棟方向と直交する方向の全長に亘る長さを有する長尺な部材である。桁材３３は、例えば鋼材から形成される。桁材３３の上には、屋根下地材３が設けられている。このため、構造体２の支持部２１が屋根下地材３の荷重を支持している。これにより、支持部２１が屋根下地材３を支持している。
【００２４】
本実施形態では、屋根下地材３は、野地板３０及び下地板３１から構成される。桁材３３の上に下地材３１が重ねられ、下地板３１の上に野地板３０が重ねられている。野地板３０は板状の部材である。野地板３０の寸法形状は、屋根の形状に合わせて形成される。野地板３０は、例えば木製である。下地板３１は、屋根の形状に合わせて形成された板状の部材である。下地板３１は、高い強度及び断熱性を有する部材である。下地板３１は、例えばＡＬＣパネルである。
【００２５】
端部材３２は、受け部３２０と、受け部３２０の下端から軒側に突出した支持片３２１から構成される。受け部３２０は、野地板３０の軒側端部及び下地板３１の軒側端部と接している。支持片３２１は、桁材３３上に設けられている。端部材３２は、屋根の軒棟方向と直交する方向の全長に亘る長さを有する長尺な部材である。この端部材３２が、屋根下地材３の軒側端部を支持している。
【００２６】
本実施形態の外壁材１は、防水シート１０及び支持部材１１から構成される。支持部材１１は、屋根の傾斜に沿った傾斜片１１０及び傾斜片１１０の軒側端部から下方に伸びる壁部１１１から構成される。支持部材１１は、屋根の軒棟方向と直交する方向に並んで複数設けられている。支持部材１１は、例えばＴ型鋼から形成される。壁部１１１の屋外側には、防水シート１０が設けられている。防水シート１０は、外壁材１の屋外側の面を構成している。防水シート１０は、例えば、軟質塩ビシートである。
【００２７】
本実施形態では、外壁材１と柱部２２との間に間隔を有する。具体的には、支持部材１１と柱部２２との間に間隔を有する。
【００２８】
外壁材１、屋根下地材３及び構造体２が上記の構成を備えるため、屋根下地材３の軒側端部の軒側、外壁材１の屋内側、且つ構造体２の屋外側の位置に、通気空間７が形成される。通気空間７は、隣り合う構造体２間、及び桁材３から構成される開口２０を介して、屋内と通じている（図２参照）。
【００２９】
屋根材４は屋根下地材３上に設置される。屋根材４は、例えば、平面視矩形状のスレート瓦である。屋根材４は、屋根の軒棟方向及び軒棟方向と直交する方向に複数葺設される。屋根材４うち、最も軒側に配置されている屋根材４（以下、屋根材４０という）は、屋根下地材３の軒側端部よりも軒側に突出した突出部４１を備える。
【００３０】
屋根下地材３の軒側端部より軒側、突出部４１の下方、且つ外壁材１の上端の上方の領域には換気部材５が設置される。本実施形態では、外壁材１上に換気部材５が固定されている。具体的には、傾斜片１１０の上に、換気部材５が固定されている。
【００３１】
換気部材５は、屋外通気口５１、通気路５３、及び屋内通気口５２を備える。屋外通気口５１は、換気部材５の軒側端部において屋外と通じる開口である。屋内通気口５２は、換気部材５の棟側端部において屋内と通じる開口である。通気路５３は、屋外通気口５１から屋内通気口５２へと通じる空間である。本実施形態では、通気路５３内に、通気路５３を部分的に遮閉する邪魔板９が、複数設けられている。本実施形態では、屋内通気口５２が通気空間７と通じている。
【００３２】
本実施形態の換気部材５は、図３に示すように、複数の部材から構成されている。換気部材５は、第一外装５４、第二外装５６、固定部材５５、上邪魔板部材５７、下邪魔板部材５８、及び水切り部材５９を備える。
【００３３】
第一外装５４は、図４に示すように、底部５４０、底部５４０の棟側端部から上方に突出する屋外板５４１、及び底部５４０の棟側端部から上方に突出する屋内板５４２を備える。屋外板５４１は、その上端部が屋外側の下方に屈曲した形状を有する。第一外装５４は長尺な部材である。第一外装５４は、例えば金属製であり、金属の板材を折り曲げることにより形成される。
【００３４】
第二外装５６は、図４に示すように、天井部５６０、天井部５６０の軒側端部から軒方向に延びる延出部５６１、及び天井部５６０の棟側端部から下方に突出する垂下部５６２を備える。第二外装５６は長尺な部材である。第二外装５６は、例えば金属製であり、金属の板材を折り曲げることにより形成される。
【００３５】
固定部材５５は、図４に示すように、底固定部５５０、天井固定部５５１、底固定部５５０と天井固定部５５１とを接続する第二邪魔板固定部５５２、天井固定部５５１の軒側端部から下方に伸びる第一邪魔板固定部５５３を備える。固定部材５５は、換気部材５よりも短い部材である。固定部材５５は、例えば金属製であり、金属の板材を折り曲げることにより形成される。
【００３６】
上邪魔板部材５７は、図４に示すように、上重なり部５７０、上重なり部５７０の軒側端部から下方に突出した第一邪魔板５７１、及び上重なり部５７０の棟側端部から下方に突出した第三邪魔板５７２を備える。第一邪魔板５７１は、その下端部が屋外側へ屈曲した断面Ｌ字状の形状を有する。上邪魔板部材５７は長尺な部材である。上邪魔板部材５７は、例えば金属製であり、金属の板材を折り曲げることにより形成される。
【００３７】
下邪魔板部材５８は、図４に示すように、下重なり部５８０、下重なり部５８０の軒側端部から上方に突出した第二邪魔板部５８１、及び下重なり部５８０の棟側端部から上方に突出した第四邪魔板５８２を備える。第二邪魔板５８１は、その上端部が屋外側に屈曲した断面Ｌ字状の形状を有する。第二下邪魔板部材５８は長尺な部材である。下邪魔板部材５８は、例えば金属製であり、金属の板材を折り曲げることにより形成される。
【００３８】
水切り部材５９は、図４に示すように、介在部５９１と、介在部５９１の軒側端部から斜め下方に突出した水切り部５９０、及び水切り部５９０の先端から屋内側に向けて折り返した折り返し部５９２を備える。水切り部材５９は長尺な部材である。水切り部材５９は、例えば金属製であり、金属の板材を折り曲げることにより形成される。
【００３９】
図３に示すように、本実施形態では、第一外装５４の上に固定部材５５が設置され、その上に第二外装５６が設置されている。本実施形態では、第一外装５４と固定部材５５との間に下邪魔板部材５８が介在し、第二外装５６と固定部材５５の間に上邪魔板部材５７が介在している。
【００４０】
詳細には、底部５４０の上に底固定部５５０が重ねられ、底部５４０と底固定部５５０の間に下重なり部５８０が介在している。底部５４０、下重なり部５８０、及び底固定部５５０は、リベット等により固定されている。また、本実施形態では、底固定部５５０、下重なり部５８０、及び底部５４０が重ねられ、傾斜片１１０上にビス止めにより固定されている。天井固定部５５１の上には天井部５６０が重ねられ、天井固定部５５１と天井部５６０との間に上重なり部５７０が介在している。天井部５６０、上重なり部５７０、及び天井固定部５５１は、リベット等により固定されている。
【００４１】
本実施形態の通気路５３は底部５４０及び天井部５６０によって構成されるため、第一邪魔板５７１、第二邪魔板５８１、第三邪魔板５７２、第四邪魔板５８２の各々が、邪魔板９を構成している。本実施形態の屋外通気口５１は、屋外板５４１の上端と天井部５６０との隙間である。本実施形態の屋内通気口５２は、屋内板５４２の上端と天井部５６０との隙間である。
【００４２】
本実施形態では、第一外装５４の上に水切り部材５９を重ねている（図３参照）。
【００４３】
詳細には、天井部５６０の上に介在部５９１が重ねられている。また、延出部５６１に水切り部５９０が重ねられている。本実施形態の延出部５６１の先端は、折り返し部５９２が引っ掛けられている。
【００４４】
更に、本実施形態では、換気部材５の下に整流板８が設けられている。整流板８は、整流部８０、整流部８０の下端から屋外側に突出した風受け部８２、及び整流部８０の上端から棟側に伸びた挿入部８１から構成される部材である（図１、２参照）。
【００４５】
整流部８０は、水切り部５９０と間隔を空けて対向し、且つ防水シート１０に重ねられている。風受け部８２は、その先端が屋内側に突出している。挿入部８１は、換気部材５と傾斜片１１０との間に挿入されている。
【００４６】
本実施形態の換気部材５は、長尺な部材である第一外装５４、第二外装５６、上邪魔板部材５７、下邪魔板部材５８、及び水切り部材５９を備えるため、長尺である。換気部材５は、それ一つで屋根の軒棟方向と直交する方向の全長と同じ長さの部材であってもよい。また、屋根の軒棟方向と直交する方向の全長と同じ長さとなるように、複数の換気部材を接続してもよい。
【００４７】
本実施形態では、図６に示すように、換気部材５０１と換気部材５０２とが接続部材９によって接続されている。接続部材９は、第一接続片９１、第二接続片９２、ジョイント部材９０から構成されている。換気部材５０１の端部は第一接続片９１によって閉塞されている。換気部材５０２の端部は第二接続片９２によって閉塞されている。ジョイント部材９０は、第一接続片９１及び第二接続片９２と嵌合している。
【００４８】
尚、本実施形態では、水切り部材５９が、換気部材５０１と換気部材５０２との間で分割されず、換気部材５０１と換気部材５０２は一つの水切り部材５９を共有している。
【００４９】
第一接続片９１は、閉塞部９１１と、閉塞部９１１から軒棟方向と直交する方向に突出した天井片９１０、背片９１２及び底片９１３から構成される（図５参照）。本実施形態では、第一接続片９１が換気部材５０１の端部に設けられる。具体的には、閉塞部９１１が換気部材５０１の端部を閉塞し、天井片９１０が換気部材５０１の上に重なり、背片９１２が換気部材５０１の棟側端部と重なり、底片９１３が換気部材５０１の下に重なる。この構成により、換気部材５０１の端部から雨水等が侵入しにくい。このため、換気部材５０１の端部の防水性が確保される。第一接続片９１は、例えば、金属の板材から形成される。本実施形態では、天井片９１０、背片９１２及び底片９１３の表面上における、閉塞部９１１との境目に、防水シーラー９３が設けられている。防水シーラー９３は、例えば発泡ゴムシール材から形成される。
【００５０】
第二接続片９２は、閉塞部９２１と、閉塞部９２１から軒棟方向と直交する方向に突出した天井片９２０、背片９２２及び底片９２３から構成される（図５参照）。本実施形態では、第二接続片９２が換気部材５０２の端部に設けられる。具体的には、閉塞部９２１が換気部材５０２の端部を閉塞し、天井片９２０が換気部材５０２の上に重なり、背片９２２が換気部材５０２の棟側端部と重なり、底片９２３が換気部材５０２の下に重なる。この構成により、換気部材５０２の端部から雨水等が侵入しにくい。このため、換気部材５０２の端部の防水性が確保される。第二接続片９２は、例えば、金属の板材から形成される。本実施形態では、天井片９２０、背片９２２及び底片９２３の表面上における、閉塞部９２１との境目に、防水シーラー９３が設けられている。
【００５１】
ジョイント部材９０は、上板９０１、上板９０１と対向する下板９０２、及び上板９０１と下板９０２とを接続する後板９０３から構成される（図５参照）。本実施形態では、ジョイント部材９０が、換気部材５０１の端部に設けられた第一接続片９１と換気部材５０２の端部に設けられた第二接続片９２とを、第一接続片９１と第二接続片９２と間に間隔を空けて、挟んでいる。具体的には、上板９０１が防水シーラー９３を介して天井片９１０、９２０と重なり、下板９０２が防水シーラー９３を介して背片９１３、９２３と重なり、上板９０１と下板９０２とを接続する後板９０３によって第一接続片９１及び第二接続片９２が挟まれている。この構成により、ジョイント部材９０と、第一接続片９１及び第二接続片９２との間から、雨水等が侵入しにくい。このため、換気部材５０１、５０２間の接続部分の防水性が確保される。ジョイント部材９０は、例えば、金属の板材から形成される。本実施形態では、上板９０１の軒側端部と下板９０２の軒側端部に、防水シーラー９３が設けられている。
【００５２】
本実施形態では、換気部材５０１の端部に設けられた第一接続片９１と換気部材５０２の端部に設けられた第二接続片９２とをジョイント部材９０で挟んで接続したものの上に、水切り部材５９を設置する。具体的には、折り返し部５９２を換気部材５０１、５０２の先端（延出部５６１の軒側端部）に引っ掛けながら、防水シーラー９３を介して、介在部５９１を換気部材５０１、５０２、第一接続片９１、第二接続片９２、及び上板９０１上に重ねる。この構成により、換気部材５０１、５０２の接続部分から、雨水等が侵入しにくい。このため、換気部位材５０１、５０２間の接続部分の防水性が、更に確保される。
【００５３】
本実施形態では、接続部材９によって接続された換気部材５０１、５０２を傾斜片１１０上に設置する。具体的には、換気部材５０１、５０２を、底片９１３、９２３及び下板９０２に設けられた防水シーラー９３を介して、傾斜片１１０上に設置する。この構成により、換気部材５０１、５０２間の接続部分の下方から、雨水等が侵入しにくい。このため、このため、換気部位材５０１、５０２間の接続部分の防水性が、更に確保される。
【００５４】
本実施形態の軒先換気構造が上記の構成を備えるため、以下の効果を奏する。
【００５５】
換気部材５が、外壁材１の上端に固定されているため、換気部材５を安定に設置することができる。
【００５６】
柱部２２と外壁材１との間に間隔を有しているため、屋内通気口５２と通じ、開口２０を介して屋内と通じる通気空間７を形成することができる。
【００５７】
介在部５９１が換気部材５の上部から屋根下地材３上に亘って存在するため、屋根材４から雨水等が流れてきたとしても、換気部材５の内部に侵入しにくく、換気部材５の防水性が確保される。
【００５８】
また、介在部５９１の棟側端部が屋根下地材３と屋根材４との間に介在し、且つ延出部５６１の先端が折り返し部５９２に引っ掛けられているため、換気部材５を外壁材１上に押し付けた状態で固定することができる。
【００５９】
更に、換気部材５によって、屋外と屋内との換気を行うことができる。具体的な換気経路について、以下に説明する（図１参照）。
【００６０】
まず、屋外から屋内へと空気が入る場合について説明する。
【００６１】
屋外通気口５１の前方には、水切り部５９０が対向しているため、風や雨水等が屋外通気口５１に直接吹き込まない。
【００６２】
更に、外壁材１を吹き上がる風や雨水等は、風受け部８２によって遮られる。
【００６３】
更に、水切り部５９０及び整流部８０によって、屋外通気口５１へと通じる空気の流れをつくることができる。具体的には、外壁材１の前方から吹く風のみが、水切り部５９０の先端と風受け部８２との間から入ることができる。
【００６４】
屋外通気口５１から通気路５３内に空気が入る際には、雨水等が屋外板５４０によってせき止められる。
【００６５】
通気路５３内に入った空気は、複数の邪魔板９に当たりながら屋内通気口５２に達する。このとき、雨水等が通気路５３内に侵入していても、複数の邪魔板９にせき止められ、屋内通気口５２に達しにくい。
【００６６】
屋内通気口５２に達した空気は、通気空間７に入る。通気空間７は開口２０と通じているため、空気は屋内に入る。
【００６７】
屋内から屋外へと空気が出る場合、上記経路と逆の経路を経由する。つまり、空気が開口２０から通気空間７に入り、通気空間７から屋内通気口５２を通って通気路５３に入る。更に、通気路５３から屋外通気口５１に達する。そして空気は、整流部８０と延出部５６１及び水切り部５９０との間を通って、屋外に排出される。
【００６８】
尚、本実施形態では、水切り部５９０は、外壁材１に平行に形成されているが、これに限られるものではない。例えば、水切り部５９と、整流部８１との間隔を広くすると、屋外通気口５１を出入りする空気の量を多くすることができる。例えば、水切り部５９０と、整流部８０との間隔を狭くすることで、屋外通気口５１から雨水等が侵入することを、特に抑制することができる。
【００６９】
以下、第二の実施形態に係る軒先換気構造について、詳しく説明する。
【００７０】
本実施形態に係る軒先換気構造は、外壁材１ａ、屋根下地材３ａ、屋根材４ａ、及び換気部材５ａを備える軒先換気構造である。屋根材４ａは屋根下地材３ａの軒側端部よりも軒側に突出した突出部４１ａを備える。屋根下地材３ａの軒側端部より軒側、突出部４１ａの下方、且つ外壁材１ａの上方である位置に換気部材５ａが設けられている。換気部材５ａは、軒方向に向いて開口する屋外通気口５１ａ、屋内と通じる開口である屋内通気口５２ａ、及び屋外通気口５１ａから屋内通気口５２ａへと通じる通気路５３ａを備える。
【００７１】
本実施形態に係る軒先換気構造では、屋根下地材３ａの軒側端部より軒側、突出部４１ａの下方、且つ外壁材１ａの上方である位置に換気部材５ａが設けられるため、外壁から突出する屋根の長さが短い建築物にも換気部材５ａを設置することができる。且つ、軒先に雨樋等を設置するための空間を確保することができる。更に、換気部材５ａを収まりよく設置することができ、換気部材５ａが軒先の外観に影響を与えにくい。更に、換気部材５ａが屋外通気口５１ａ、通気路５３ａ、及び屋内通気口５２ａを通して、屋内と通じているため、屋外と屋内との換気を行うことができる。
【００７２】
本実施形態に係る軒先換気構造は、屋根下地材３ａを支持する垂木２ａを更に備え、屋根下地材３ａの軒側端部が、垂木２ａの軒側端部より棟側に位置し、垂木２ａ上に換気部材５ａが固定されていてもよい。
【００７３】
本実施形態に係る屋根構造は、介在部５９１ａと、水切り部５９０ａとを備える水切り部材５９ａを更に備え、介在部５９１ａは屋根材４ａの下方に位置し、その棟側端部は屋根下地材３ａと屋根材４ａとの間に介在し、その軒側端部は屋外に位置し、水切り部材５９ａは、介在部５９１ａの軒側端部から下方に突出し、屋外通気口５１ａと対向していてもよい。
【００７４】
以下、本実施形態に係る軒先換気構造について、更に詳しく説明する。
【００７５】
図７に示すように、垂木２ａは、屋根の傾斜に並んで設けられた屋根構造材である。垂木２ａの軒側端部の下方には、母屋２１ａが設けられている。母屋２１ａが、垂木２ａの軒側端部を支持している。母屋２１ａは、屋根の軒に設けられる屋根構造材であり、柱２２ａの上端上に設けられている。尚、本実施形態は木造建築物における屋根構造であるが、この屋根構造は、鉄骨造建築物又は鉄筋コンクリート造建築物に適用されてもよい。
【００７６】
外壁材１ａは、家屋の外壁材料として用いられる板状の部材である。外壁材１ａは、例えば窯業系サイディングである。外壁材１ａは、窯業系基材や金属系基材のような無機質でもよく、樹脂系基材のような有機質でもよい。外壁材１ａは、母屋２１ａ及び柱２２ａに固定されている。外壁材１a母屋２１ａ及び柱２２ａとの間には別部材が介在してもよい。本実施形態では、外壁材１ａと母屋２１ａ及び柱２２ａとの間に、複数の縦胴縁１１ａが透湿防水シート１２ａを介して設けられている。縦胴縁１１ａは上下方向に長い部材であり、外壁材１ａに並んで複数並べて設置されている。縦胴縁１１ａにより、外壁材１ａと透湿防水シート１２ａとの間に通気空間１１０ａが形成される。通気空間１１０ａにより、外壁材１の裏側の通気性を確保することができる。外壁材１ａの屋外側には別部材が設けられてもよい。本実施形態では外壁材１ａの屋外側に、粗破風１３ａ及び化粧破風板１４ａ設けられている。粗破風１３ａは垂木２ａ及び外壁材１ａに固定されている。化粧破風板１４ａは粗破風１３ａに固定されている。
【００７７】
屋根下地材３ａは、板状の部材である。屋根下地材３ａの寸法形状は、屋根の形状に合わせて形成される。屋根下地材３ａは、例えば木製である。屋根下地材３ａは、例えば野地板である。屋根下地材３ａは、垂木２ａ上に設けられている。
【００７８】
本実施形態では、屋根下地材３ａの軒側端部が垂木２ａの軒側端部よりも棟側に位置する。このため、屋根下地材３ａの軒側端部より軒側には、隣り合う垂木２ａ間の、屋内に通じる開口７ａが形成されている。
【００７９】
屋根材４ａは屋根下地材３ａ上に設置される。屋根材４ａは、例えば、平面視矩形状のスレート瓦である。屋根材４ａは、屋根の軒棟方向及び軒棟方向と直交する方向に複数葺設される。屋根材４ａうち、最も軒側に配置されている屋根材４ａ（以下、屋根材４０ａという）は、屋根下地材３ａの軒側端部よりも軒側に突出した突出部４１ａを備える。
【００８０】
屋根下地材３ａの軒側端部より軒側、突出部４１ａの下方、且つ外壁材１ａの上端の上方の領域には換気部材５ａが設置される。本実施形態では、垂木２ａ上に換気部材５ａが固定されている。
【００８１】
換気部材５ａは、屋外通気口５１ａ、通気路５３ａ、及び屋内通気口５２ａを備える。屋外通気口５１ａは、換気部材５ａの軒側端部において屋外と通じる開口である。屋内通気口５２ａは、換気部材５ａの棟側端部において屋内と通じる開口である。通気路５３ａは、屋外通気口５１ａから屋内通気口５２ａへと通じる空間である。本実施形態では、通気路５３ａ内に、通気路５３ａを部分的に遮閉する邪魔板９が、複数設けられている。
【００８２】
本実施形態では、屋内通気口５２ａと屋根下地材３ａの軒側端部との間に、空間７０ａが形成されている。空間７０ａは、開口７ａを介して屋内と通じ、更に通気空間１１０ａにも通じている。
【００８３】
本実施形態の換気部材５ａは、第一の実施形態の軒先換気構造における換気部材５と同じ形状の部材である。このため、換気部材５ａも複数の部材から構成される。
【００８４】
本実施形態では、換気部材５ａが垂木２ａ上に固定されている。換気部材５ａは、例えばビス止め、リベット等により、垂木２ａ上に固定される。
【００８５】
換気部材５ａは、更に水切り部材５９ａを備える。水切り部材５９ａは、介在部５９１ａ、水切り部５９０ａ、及び折り返し部５９２ａを備える。水切り部材５９０ａは、第一の実施形態における水切り部材５９と同じ形状の部材である。
【００８６】
図７に示すように、介在部５９１ａが屋根材下地材３ａと屋根材４ａとの間に介在し、水切り部５９０ａは、屋外通気口５１ａと対向している。
【００８７】
更に、本実施形態では、換気部材５の下に整流板８ａが設けられている。整流板８ａは、整流部８０ａ、整流部８０ａの下端から屋外側に突出した風受け部８２ａ、及び整流部８０ａの上端から棟側に伸びた挿入部８１ａから構成される部材である（図７、８参照）
整流部８０ａは、水切り部５９０ａと間隔を空けて対向し、且つ化粧破風板１４に重ねられている。風受け部８２ａは、先端で下方に突出している。挿入部８１ａは、垂木２ａ、粗破風１３ａ及び化粧破風板１４ａの上端を覆っている。
【００８８】
また、換気部材５ａは長尺であり、それ一つで屋根の軒棟方向と直交する方向の全長と同じ長さの部材であってもよく、複数の換気部材を接続したものであってもよい。複数の換気部材を接続する場合、第一の実施形態における接続部材９で接続することができる。この場合、一方の換気部材の端部に第一接続片９１を設け、他方の換気部材の端部に第二接続片９２設け、更に、第一接続片９１及び第二接続片９２をジョイント部材９０で嵌合する。本実施形態では、接続部材９上に介在部５９１ａが設けられている。
【００８９】
本実施形態の軒先換気構造が上記の構成を備えるため、以下の効果を奏する。
【００９０】
屋根下地材３ａの軒側端部が垂木２ａの軒側端部よりも棟側に位置することで開口７ａが形成されるため、屋内との通気経路を確保することができる。また、垂木２ａ上に換気部材５ａを固定可能な領域が形成されるため、そこに換気部材５ａを固定することができ、換気部材５ａを安定に設置することができる。
【００９１】
介在部５９１ａが換気部材５ａの上部から屋根下地材３ａ上に亘って存在するため、屋根材４ａから雨水等が流れてきたとしても、換気部材５ａの内部に侵入しにくく、換気部材５ａの防水性が確保される。
【００９２】
また、介在部５９１ａの棟側端部が屋根下地材３ａと屋根材４ａとの間に介在し、且つ換気部材５ａの先端が折り返し部５９２ａに引っ掛けられているため、換気部材５ａを垂木２ａ上に押し付けた状態で固定することができる。
【００９３】
更に、換気部材５ａによって、屋外と屋内との換気を行うことができる。具体的な換気経路について、以下に説明する（図７参照）。
【００９４】
まず、屋外から屋内へと空気が入る場合について説明する。
【００９５】
屋外通気口５１ａの前方には、水切り部５９０ａが対向しているため、風や雨水等が屋外通気口５１ａに直接吹き込まない。
【００９６】
更に、風と共に雨水等が化粧破風板１４ａ、壁材１ａ等を吹き上がったとしても、風受け部８２ａによって遮られる。
【００９７】
更に、水切り部５９０ａ及び整流部８０ａによって、屋外通気口５１ａへと通じる空気の流れをつくることができる。具体的には、化粧破風板１４ａの前方からの風のみが、水切り部５９０ａの先端と風受け部８２ａとの間から入ることができる。
【００９８】
更に、挿入部８０ａにより、粗破風１３ａ及び化粧破風板１４ａの上端、垂木２ａ軒側端部上が覆われているため、換気部材５ａの裏から雨水等が屋内に侵入することはない。
【００９９】
屋外通気口５１ａから通気路５３ａ内に入った空気は、複数の邪魔板９ａに当たりながら屋外通気口５２ａに達する。このとき、雨水等が通気路５３ａ内に侵入しても、複数の邪魔板９ａにせき止められ、屋内通気口５２ａに達しにくい。
【０１００】
屋内通気口５２ａに達した空気は、空間７０ａに入る。空間７０ａは開口７ａと通じているため、空気は屋内に入る。更に空間７０ａは、縦胴縁１１ａで形成される外壁材１ａと内壁との間の空間と通じているため、外壁材１の裏側にも空気を取り込むことが出来る。
【０１０１】
屋内から屋外へと空気が出る場合、上記経路と逆の経路を経由する。つまり、空気が開口７ａから屋内通気口５２ａへと入り、通気路５３ａを通って屋外通気口５１ａに達する。そして空気は、整流板８１ａと延出部５６１ａ及び水切り部５９０ａとの間を通って、屋外に排出される。
【０１０２】
尚、本実施形態では、水切り部５９０ａは、外壁材１ａに平行に形成されているが、これに限られるものではない。例えば、水切り部５９０ａ及び延出部５６１ａと、化粧破風板１４ａとの間隔を広くすると、屋外通気口５１ａを出入りする空気の量を多くすることができる。例えば、水切り部５９０ａと、外壁材１ａとの間隔を狭くすることで、屋外通気口５１ａから雨水等が侵入することを、特に抑制することができる。
【符号の説明】
【０１０３】
１        外壁材
２        構造体
２１      支持部
２２      柱部
３        屋根下地材
４        屋根材
４１      突出部
５        換気部材
５１      屋外通気口
５２      屋内通気口
５３      通気路
５９      水切り部材
５９０    水切り部
５９１    介在部
１ａ      外壁材
２ａ      垂木
３ａ      屋根下地材
４ａ      屋根材
４１ａ    突出部
５ａ      換気部材
５１ａ    屋外通気口
５２ａ    屋内通気口
５３ａ    通気路
５９ａ    水切り部材
５９０ａ  水切り部
５９１ａ  介在部
【図１】
2015193985.tif 000003
【図２】
2015193985.tif 000004
【図３】
2015193985.tif 000005
【図４】
2015193985.tif 000006
【図５】
2015193985.tif 000007
【図６】
2015193985.tif 000008
【図７】
2015193985.tif 000009
【図８】
2015193985.tif 000010